(57)【要約】【課題】指でタッチパネル画面を操作をする際、画面に付着した手垢等の汚れを操作中に迅速に除去することができるよう、操作者の指に被着するよう形成したタッチパネル操作具を提供する。【解決手段】例えば図１の場合、人の手が触れる事でタッチパネル画面に付着する手垢や埃汚れ等を、操作中に速やかにタッチパネル操作中に取り除く事が出来るよう、指が画面に接する部分を覆うほどのサイズの、導電性を有する油膜除去機能を持つクリーナー素材からなるシート本体１に、片面側に両面粘着材３を備え、粘着面を指に被着させて、画面に付着した手垢や埃汚れ等をシート本体１で直ちに拭い取り除く事が出来るようにした。【選択図】図１
2012242922.tif 000002
【特許請求の範囲】
【請求項１】
油膜除去機能を持つクリーナー素材からなるシート本体の片面に、両面粘着材を貼り付けた事を特徴とするタッチパネル操作具。 
【請求項２】
シート本体及び両面粘着材は、導電性を与えた材料で構成した事を特徴とする請求項１記載のタッチパネル操作具。
【請求項３】
シート本体の中央部に、開口部を設けた事を特徴とする請求項１記載のタッチパネル操作具。
【請求項４】
開口部の周縁に、起毛部を設けた事を特徴とする請求項３記載のタッチパネル操作具。
【発明の詳細な説明】
【技術分野】
【０００１】
本発明は、タッチパネルを操作する時に用いる操作具に関する。
【背景技術】
【０００２】
指で触れて操作するタッチパネルの画面は、触ると汚れが付くので拭き掃除をしなければならない。タッチパネル操作中の画面は常に操作者の指の油が油膜として画面に付着し、さらに埃等の汚れが付着しているという背景があり、タッチパネルの画面の汚れを除去する為には画面に損傷を与えない柔らかい鹿皮や超極細布などの布状の物で拭ったりして汚れを落としているのが一般的である。このように、タッチパネル画面に付着した手垢や埃汚れを除去し、清潔な状態で使用するためには、新たに時間を費やして汚れを拭い取るという作業をしなければならない。せっかく情報端末でスピーディな情報を得ながらも、タッチパネルの掃除に新たに手が掛かるという問題点があり、スピード時代の昨今の環境からすると、この作業は相当な時間ロスの問題になり得る。このような問題を解決するために、手で画面を汚さなくても操作ができるように、タッチペンや静電気及び塵・埃除去用手袋などが考案されている。例えば、特許文献１に示すものは、指先部分が導電性繊維の糸を用いて編成されている手袋のタッチパネル用操作具で、手袋を装着したままの状態で画面に触れて操作できるので、画面が汚れにくいという事に効果的である。
【先行技術文献】
【特許文献】
【０００３】
【特許文献１】特開２００８−０８１８９６  静電容量式タッチパネル操作用手袋
【発明の概要】
【発明が解決しようとする課題】
【０００４】
しかしながら、文献１の方法では、手袋を被着する事で、タッチパネル操作中の手袋内の蒸れや暑さの不快感等、手や指が受けるうっとうしさのストレスを生じる問題点がある。
【０００５】
また、手袋は、タッチパネル画面に触れない余分な部分までの材料を必要としているという課題があることに注目するべきである。
【０００６】
そこで、本発明は、タッチパネル画面を指等で触れて情報を得たりする操作時に、手袋や指袋のように手や指全体を全て被うほどの材料を用いる事無く、画面に触れる部分のみをクリーニング素材で被うようにする事により、画面に付着する手垢や埃等を、直ちに拭い取り除くことが出来るタッチパネル操作具を提供しようとするものである。
【課題を解決するための手段】
【０００７】
以上の事を解決するために、第１の発明は、油膜除去機能を持つクリーナー素材からなるシート本体の片面に、両面粘着材を貼り付けるよう構成した。
【０００８】
第２の発明は、シート本体及び両面粘着材に導電性を与えた材料で構成した。
【０００９】
第３の発明は、シート本体の中央部に開口部を設けた。
【００１０】
第４の発明は、開口部の周縁に起毛部を設けた。
【発明の効果】
【００１１】
請求項１記載の発明によれば、油膜除去機能を持つクリーナー素材からなるシート本体の片面に両面粘着材を設けることにより、タッチパネル画面に触れる面の部分のみのシート本体を用いるだけで良いため、手袋や指袋のように直接画面に触れない余分な部分のシート部材を必要としない。また、手や指の全体を被うことの無いため、手袋や指袋内の蒸れや熱さの不快感等、手や指が受けるうっとうしさのストレスから軽減される。このように、指に被着したシート本体で、タッチパネル画面にタッチしたりスライドしたりする操作中画面を拭う事で、付着した手垢や埃汚れを直ちに拭う事が出来る。
【００１２】
請求項２記載の発明によれば、シート本体及び両面粘着材に導電性を与えた材料で構成することにより、タッチパネル画面に直接指を接触させなくても画面操作が出来るので、タッチパネル画面に手垢が付着する事が無くなる。
【００１３】
請求項３記載の発明によれば、導電性を有さないシート本体材料でも、シート本体の中央部に開口部を設けることにより、開口部から出た指でタッチパネル画面と指とが直接触れる事が出来るので、確実に操作出来るとともに、タッチパネル画面をタッチしたりスライドしたり操作すると同時に、シート本体が画面に触れる事で、タッチパネル画面をクリーニングする事が出来る。
【００１４】
請求項４記載の発明によれば、シート本体中央部の開口部の周縁に起毛部を備えたことで、起毛の作用により、よりクリーニング効果を増す。
【図面の簡単な説明】
【００１５】
【図１】本発明による、タッチパネル操作具の一実施例を示す斜視図である。
【図２】同、中央部に開口部を設けた実施例を示す斜視図である。
【図３】同、開口部の周縁に起毛部を設けた実施例を示す斜視図である。
【図４】同、断面図である。
【発明を実施するための形態】
【００１６】
以下、本発明の実施するための形態を図１〜図４に基づいて具体的に説明する。
【００１７】
図１において、１はシート本体で、油膜除去機能を持つクリーナー素材の生地からなり、眼鏡拭きや携帯画面拭き掃除などに使用される超極細繊維等、例えば、超極細繊維素材の綿・ポリエステル・レーヨン・鹿皮等を用いて形成されている。シート本体１の片面全体又は一部には両面粘着材２を設け、両面粘着材２の表面に、剥離フィルム３を設け、指に被着する前の粘着面を保護できるように構成している。
【００１８】
なお、シート本体１は、指がタッチパネル画面に触れる部分を被う様なサイズとする。
【００１９】
さらに、剥離フィルム３の素材は、指に被着前の粘着面をカバーし、両面粘着材２より容易に剥がすことが出来る、一般的に用いられているものである。
【００２０】
本発明のタッチパネル操作具の使い方を、図１を用いて説明する。
図１に示すシート本体１を用意し、剥離フィルム３を剥がし除き、両面粘着材２の粘着面を、タッチパネル画面に触れて操作する指の先端部をわずかに残して、その少し下方の指の部位に被着させる。シート本体１で被われていない指の先端部でタッチパネルを操作し、操作後、直ちに指に被着したシート本体１で、タッチパネルの画面に触れて上下左右にスライドする事で、画面に付着した手垢や埃汚れを即座に取り除くことが出来る。
【００２１】
ここで、シート本体１と両面粘着材２の材料に、導電性を与えた材料を用いれば、シート本体１で直接画面を操作することが可能となる。
【００２２】
図２は、第２の実施例を示すものであり、シート本体１の中央部に、開口部４を設け、開口部４から指の一部を露出させて、指がタッチパネル画面に直接触れて操作出来るように構成している。
【００２３】
本発明の開口部４を設けたタッチパネルの操作具の使い方を、図２を用いて説明する。図２に示すシート本体１を用意し、剥離フィルム３を剥がし除き、両面粘着材２の粘着面を、タッチパネル画面に触れる指の部分が開口部４に合うように被着させる。開口部４から露出した指を、タッチパネル画面にタッチしたりスライドしたりして操作ができる。開口部４から指を露出してないところのシート本体１で、タッチしたりスライドしたりする事で、画面に付着した手垢や汚れを取り除くことが出来る。
【００２４】
図３は、第３の実施例で、タッチパネルが触れる側を上にして表した図であり、開口部２の周縁に起毛部を設けられている。。図４は図３の断面図である。５は起毛部で、開口部４の周縁に起毛部５を備える事で、タッチパネル画面表面に付着した手垢や埃汚れをすばやく、かつ、より効果的に取り除くことが出来る。
【００２５】
なお、起毛部５の素材は、画面の汚れを拭える起毛を有するシート本体１の素材と同じで良い。
【００２６】
また、起毛部５の作り方は、シート本体１の開口部４周縁の切断面に生じた、ほころんだ繊維をさらに裁いてぼかせるとよい。
【００２７】
起毛部５は、開口部４より指の一部を出してタッチパネルに触ることで誤作動無く操作出来るようにするもので、起毛部５により、タッチパネル画面表面に指等が接触できず、情報を得られないような高さや硬さ等を備えてはいけない。
【００２８】
以上の実施例において、いずれもシート本体１を一枚一本の指に被着する方法を説明したが、タッチパネルの画面を拡大縮小する場合には、二本の指にそれぞれ一枚づつ被着する。タッチパネル画面を指でタッチしたりスライドしたりさせたり操作する場合、指に被着させるシート本体１は、このように、一本の指に限らず複数の指に被着でき、また、一本の指にも複数枚被着出来る。
【符号の説明】
【００２９】
１、シート本体
２、両面粘着材
３、剥離フィルム
４、開口部
５、起毛部
【図１】
2012242922.tif 000003
【図２】
2012242922.tif 000004
【図３】
2012242922.tif 000005
【図４】
2012242922.tif 000006
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
油膜除去機能を持つクリーナー素材からなるシート本体と、上記シート本体の内面側に設けられ、上記シート本体を指に固定する固定手段とを備えたタッチパネル操作具。 
【請求項２】
シート本体及び固定手段の材質は、導電性を有する材料である事を特徴とする請求項１記載のタッチパネル操作具。
【請求項３】
シート本体の中央部に、開口部を設けた事を特徴とする請求項１記載のタッチパネル操作具。
【請求項４】
開口部の周縁に、起毛部を設けた事を特徴とする請求項３記載のタッチパネル操作具。
【手続補正２】
【補正対象書類名】明細書
【補正対象項目名】全文
【補正方法】変更
【補正の内容】
【発明の詳細な説明】
【技術分野】
【０００１】
本発明は、タッチパネルを操作する時に用いる操作具に関する。
【背景技術】
【０００２】
指で触れて操作するタッチパネルの画面は、触ると汚れが付くので拭き掃除をしなければならない。タッチパネル操作中の画面は常に操作者の指の油が油膜として画面に付着し、さらに埃等の汚れが付着しているという背景があり、タッチパネルの画面の汚れを除去する為には画面に損傷を与えない柔らかい鹿皮や超極細布などの布状の物で拭ったりして汚れを落としているのが一般的である。このように、タッチパネル画面に付着した手垢や埃汚れを除去し、清潔な状態で使用するためには、新たに時間を費やして汚れを拭い取るという作業をしなければならない。せっかく情報端末でスピーディな情報を得ながらも、タッチパネルの掃除に新たに手が掛かるという問題点があり、スピード時代の昨今の環境からすると、この作業は相当な時間ロスの問題になり得る。このような問題を解決するために、手で画面を汚さなくても操作ができるように、タッチペンや静電気及び塵・埃除去用手袋などが考案されている。例えば、特許文献１に示すものは、指先部分が導電性繊維の糸を用いて編成されている手袋のタッチパネル用操作具で、手袋を装着したままの状態で画面に触れて操作できるので、画面が汚れにくいという事に効果的である。
【先行技術文献】
【特許文献】
【０００３】
【特許文献１】特開２００８−０８１８９６  静電容量式タッチパネル操作用手袋
【発明の概要】
【発明が解決しようとする課題】
【０００４】
しかしながら、文献１の方法では、手袋を被着する事で、タッチパネル操作中の手袋内の蒸れや暑さの不快感等、手や指が受けるうっとうしさのストレスを生じる問題点がある。
【０００５】
また、手袋は、タッチパネル画面に触れない余分な部分までの材料を必要としているという課題があることに注目するべきである。
【０００６】
そこで、本発明は、タッチパネル画面を指等で触れて情報を得たりする操作時に、手袋や指袋のように手や指全体を全て覆うほどの材料を用いる事無く、画面に触れる部分のみをクリーニング素材で覆うようにする事により、画面に付着する手垢や埃等を、直ちに拭い取り除くことが出来るタッチパネル操作具を提供しようとするものである。
【課題を解決するための手段】
【０００７】
以上の事を解決するために、第１の発明は、油膜除去機能を持つクリーナー素材からなるシート本体と、上記シート本体の内面側に設けられ、上記シート本体を指に固定する固定手段とを備えるよう構成した。
【０００８】
第２の発明は、シート本体及び固定手段の材質は、導電性を有する材料である事とした。
【０００９】
第３の発明は、シート本体の中央部に開口部を設けた。
【００１０】
第４の発明は、開口部の周縁に起毛部を設けた。
【発明の効果】
【００１１】
請求項１記載の発明によれば、油膜除去機能を持つクリーナー素材からなるシート本体と、上記シート本体の内面側に設けられ、上記シート本体を指に固定する固定手段とを備えた事により、指に被着したシートは、指より容易に外れる事が無く、また、タッチパネル画面に触れる面の部分のみのシート本体を用いるだけで良いため、手袋や指袋のように直接画面に触れない余分な部分のシート部材を必要としない。そのため、手や指の全体を覆うことの無いため、手袋や指袋内の蒸れや熱さの不快感等、手や指が受けるうっとうしさのストレスから軽減される。このように、指に被着したシート本体で、タッチパネル画面にタッチしたりスライドしたりする操作中画面を拭う事で、付着した手垢や埃汚れを直ちに拭う事が出来る。
【００１２】
請求項２記載の発明によれば、シート本体及び固定手段の材質は、導電性を有する材料であるとした事より、タッチパネル画面に直接指を接触させなくても画面操作が出来るので、タッチパネル画面に手垢が付着する事が無くなる。
【００１３】
請求項３記載の発明によれば、導電性を有さないシート本体材料でも、シート本体の中央部に開口部を設けることにより、開口部から出た指でタッチパネル画面と指とが直接触れる事が出来るので、確実に操作出来るとともに、タッチパネル画面をタッチしたりスライドしたり操作すると同時に、シート本体が画面に触れる事で、タッチパネル画面をクリーニングする事が出来る。
【００１４】
請求項４記載の発明によれば、シート本体中央部の開口部の周縁に起毛部を備えたことで、起毛の作用により、よりクリーニング効果を増す。
【図面の簡単な説明】
【００１５】
【図１】本発明による、タッチパネル操作具の一実施例を示す斜視図である。
【図２】同、中央部に開口部を設けた実施例を示す斜視図である。
【図３】同、開口部の周縁に起毛部を設けた実施例を示す斜視図である。
【図４】同、断面図である。
【発明を実施するための形態】
【００１６】
以下、本発明の実施するための形態を図１〜図４に基づいて具体的に説明する。
【００１７】
図１において、１はシート本体で、油膜除去機能を持つクリーナー素材の生地からなり、眼鏡拭きや携帯画面拭き掃除などに使用される超極細繊維等、例えば、超極細繊維素材の綿・ポリエステル・レーヨン・鹿皮等を用いて形成されている。シート本体１の片面には両面粘着材２を設け、両面粘着材２の表面に、剥離フィルム３を設け、指に被着する前の粘着面を保護できるように構成している。
【００１８】
なお、シート本体１は、指がタッチパネル画面に触れる部分を覆う様なサイズとする。
【００１９】
さらに、剥離フィルム３の素材は、指に被着前の粘着面をカバーし、両面粘着材２より容易に剥がすことが出来る、一般的に用いられているものである。
【００２０】
本発明のタッチパネル操作具の使い方を、図１を用いて説明する。
図１に示すシート本体１を用意し、剥離フィルム３を剥がし除き、両面粘着材２の粘着面を、タッチパネル画面に触れて操作する指の先端部をわずかに残して、その少し下方の指の部位に被着させる。シート本体１で覆われていない指の先端部でタッチパネルを操作し、操作後、直ちに指に被着したシート本体１で、タッチパネルの画面に触れて上下左右にスライドする事で、画面に付着した手垢や埃汚れを即座に取り除くことが出来る。
【００２１】
ここで、シート本体１と両面粘着材２の材料に、導電性を与えた材料を用いれば、シート本体１で直接画面を操作することが可能となる。
【００２２】
図２は、第２の実施例を示すものであり、シート本体１の中央部に、開口部４を設け、開口部４から指の一部を露出させて、指がタッチパネル画面に直接触れて操作出来るように構成している。
【００２３】
本発明の開口部４を設けたタッチパネルの操作具の使い方を、図２を用いて説明する。図２に示すシート本体１を用意し、剥離フィルム３を剥がし除き、両面粘着材２の粘着面を、タッチパネル画面に触れる指の部分が開口部４に合うように被着させる。開口部４から露出した指を、タッチパネル画面にタッチしたりスライドしたりして操作ができる。開口部４から指を露出してないところのシート本体１で、タッチしたりスライドしたりする事で、画面に付着した手垢や汚れを取り除くことが出来る。
【００２４】
図３は、第３の実施例で、タッチパネルが触れる側を上にして表した図であり、開口部２の周縁に起毛部を設けられている。図４は図３の断面図である。５は起毛部で、開口部４の周縁に起毛部５を備える事で、タッチパネル画面表面に付着した手垢や埃汚れをすばやく、かつ、より効果的に取り除くことが出来る。
【００２５】
なお、起毛部５の素材は、画面の汚れを拭える起毛を有するシート本体１の素材と同じで良い。
【００２６】
また、起毛部５の作り方は、シート本体１の開口部４周縁の切断面に生じた、ほころんだ繊維をさらに裁いてぼかせるとよい。
【００２７】
起毛部５は、開口部４より指の一部を出してタッチパネルに触ることで誤作動無く操作出来るようにするもので、起毛部５により、タッチパネル画面表面に指等が接触できず、情報を得られないような高さや硬さ等を備えてはいけない。
【００２８】
以上の実施例において、いずれもシート本体１を一枚一本の指に被着する方法を説明したが、タッチパネルの画面を拡大縮小する場合には、二本の指にそれぞれ一枚づつ被着する。タッチパネル画面を指でタッチしたりスライドしたりさせたり操作する場合、指に被着させるシート本体１は、このように、一本の指に限らず複数の指に被着でき、また、一本の指にも複数枚被着出来る。
【符号の説明】
【００２９】
１、シート本体
２、両面粘着材
３、剥離フィルム
４、開口部
５、起毛部
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
油膜除去機能を持つクリーナー素材からなるシート本体と、上記シート本体の内面側に設
けられ、上記シート本体を指に固定する固定手段とを備えたタッチパネル操作具であって、
前記シート本体及び前記固定手段の材質は、導電性を有する材料である事を特徴とするタッチパネル操作具。
【請求項２】
油膜除去機能を持つクリーナー素材からなるシート本体と、上記シート本体の内面側に設
けられ、上記シート本体を指に固定する固定手段とを備えたタッチパネル操作具であって、前記シート本体の中央部に、開口部を設けた事を特徴とするタッチパネル操作具。
【請求項３】
開口部の周縁に、起毛部を設けた事を特徴とする請求項２記載のタッチパネル操作具。
【手続補正２】
【補正対象書類名】明細書
【補正対象項目名】全文
【補正方法】変更
【補正の内容】
【発明の詳細な説明】
【技術分野】
【０００１】
本発明は、タッチパネルを操作する時に用いる操作具に関する。
【背景技術】
【０００２】
指で触れて操作するタッチパネルの画面は、触ると汚れが付くので拭き掃除をしなければ
ならない。タッチパネル操作中の画面は常に操作者の指の油が油膜として画面に付着し、
さらに埃等の汚れが付着しているという背景があり、タッチパネルの画面の汚れを除去す
る為には画面に損傷を与えない柔らかい鹿皮や超極細布などの布状の物で拭ったりして汚
れを落としているのが一般的である。このように、タッチパネル画面に付着した手垢や埃
汚れを除去し、清潔な状態で使用するためには、新たに時間を費やして汚れを拭い取ると
いう作業をしなければならない。せっかく情報端末でスピーディな情報を得ながらも、タ
ッチパネルの掃除に新たに手が掛かるという問題点があり、スピード時代の昨今の環境か
らすると、この作業は相当な時間ロスの問題になり得る。このような問題を解決するため
に、手で画面を汚さなくても操作ができるように、タッチペンや静電気及び塵・埃除去用
手袋などが考案されている。例えば、特許文献１に示すものは、指先部分が導電性繊維の
糸を用いて編成されている手袋のタッチパネル用操作具で、手袋を装着したままの状態で
画面に触れて操作できるので、画面が汚れにくいという事に効果的である。
【先行技術文献】
【特許文献】
【０００３】
【特許文献１】特開２００８−０８１８９６  静電容量式タッチパネル操作用手袋
【発明の概要】
【発明が解決しようとする課題】
【０００４】
しかしながら、文献１の方法では、手袋を被着する事で、タッチパネル操作中の手袋内の
蒸れや暑さの不快感等、手や指が受けるうっとうしさのストレスを生じる問題点がある。
【０００５】
また、手袋は、タッチパネル画面に触れない余分な部分までの材料を必要としているとい
う課題があることに注目するべきである。
【０００６】
そこで、本発明は、タッチパネル画面を指等で触れて情報を得たりする操作時に、手袋や
指袋のように手や指全体を全て覆うほどの材料を用いる事無く、画面に触れる部分のみを
クリーニング素材で覆うようにする事により、画面に付着する手垢や埃等を、直ちに拭い
取り除くことが出来るタッチパネル操作具を提供しようとするものである。
【課題を解決するための手段】
【０００７】
以上の事を解決するために、第１の発明は、油膜除去機能を持つクリーナー素材からなるシート本体と、上記シート本体の内面側に設けられ、上記シート本体を指に固定する固定手段とを備え、前記シート本体及び前記固定手段の材質を、導電性を有する材料とした。
【０００８】
第２の発明は、油膜除去機能を持つクリーナー素材からなるシート本体と、上記シート本体の内面側に設けられ、上記シート本体を指に固定する固定手段とを備えたタッチパネル操作具であって、前記シート本体の中央部に開口部を設けた。
【０００９】
第３の発明は、開口部の周縁に起毛部を設けた。
【発明の効果】
【００１０】
請求項１記載の発明によれば、油膜除去機能を持つクリーナー素材からなるシート本体と
、上記シート本体の内面側に設けられ、上記シート本体を指に固定する固定手段とを備え
た事により、指に被着したシートは、指より容易に外れる事が無く、また、タッチパネル
画面に触れる面の部分のみのシート本体を用いるだけで良いため、手袋や指袋のように直
接画面に触れない余分な部分のシート部材を必要としない。そのため、手や指の全体を覆
うことの無いため、手袋や指袋内の蒸れや熱さの不快感等、手や指が受けるうっとうしさ
のストレスから軽減される。このように、指に被着したシート本体で、タッチパネル画面
にタッチしたりスライドしたりする操作中画面を拭う事で、付着した手垢や埃汚れを直ち
に拭う事が出来る。また、シート本体及び固定手段の材質を、導電性を有する材料とした事により、タッチパネル画面に直接指を接触させなくても画面操作が出来るので、タッチパネル画面に手垢が付着する事が無くなる。
【００１１】
請求項２記載の発明によれば、油膜除去機能を持つクリーナー素材からなるシート本体と
、上記シート本体の内面側に設けられ、上記シート本体を指に固定する固定手段とを備え
、シート本体の中央部に開口部を設けることにより、開口部から出た指でタッチパネル画面と指とが直接触れる事が出来るので、確実に操作出来るとともに、タッチパネル画面をタッチしたりスライドしたり操作すると同時に、シート本体が画面に触れる事で、タッチパネル画面をクリーニングする事が出来る。
【００１２】
請求項３記載の発明によれば、請求項２記載の発明において、シート本体中央部の開口部の周縁に起毛部を備えたことで、起毛の作用により、よりクリーニング効果を増す。
【図面の簡単な説明】
【００１３】
【図１】本発明による、タッチパネル操作具の一実施例を示す斜視図である。
【図２】同、中央部に開口部を設けた実施例を示す斜視図である。
【図３】同、開口部の周縁に起毛部を設けた実施例を示す斜視図である。
【図４】同、断面図である。
【発明を実施するための形態】
【００１４】
以下、本発明の実施するための形態を図１〜図４に基づいて具体的に説明する。
【００１５】
図１において、１はシート本体で、油膜除去機能を持つクリーナー素材の生地からなり、
眼鏡拭きや携帯画面拭き掃除などに使用される超極細繊維等、例えば、超極細繊維素材の
綿・ポリエステル・レーヨン・鹿皮等を用いて形成されている。シート本体１の片面には
両面粘着材２を設け、両面粘着材２の表面に、剥離フィルム３を設け、指に被着する前の
粘着面を保護できるように構成している。
【００１６】
なお、シート本体１は、指がタッチパネル画面に触れる部分を覆う様なサイズとする。
【００１７】
さらに、剥離フィルム３の素材は、指に被着前の粘着面をカバーし、両面粘着材２より容
易に剥がすことが出来る、一般的に用いられているものである。
【００１８】
本発明のタッチパネル操作具の使い方を、図１を用いて説明する。
図１に示すシート本体１を用意し、剥離フィルム３を剥がし除き、両面粘着材２の粘着面
を、タッチパネル画面に触れて操作する指の先端部をわずかに残して、その少し下方の指
の部位に被着させる。シート本体１で覆われていない指の先端部でタッチパネルを操作し
、操作後、直ちに指に被着したシート本体１で、タッチパネルの画面に触れて上下左右に
スライドする事で、画面に付着した手垢や埃汚れを即座に取り除くことが出来る。
【００１９】
ここで、シート本体１と両面粘着材２の材料に、導電性を与えた材料を用いれば、シート
本体１で直接画面を操作することが可能となる。
【００２０】
図２は、第２の実施例を示すものであり、シート本体１の中央部に、開口部４を設け、開
口部４から指の一部を露出させて、指がタッチパネル画面に直接触れて操作出来るように
構成している。
【００２１】
本発明の開口部４を設けたタッチパネルの操作具の使い方を、図２を用いて説明する。図
２に示すシート本体１を用意し、剥離フィルム３を剥がし除き、両面粘着材２の粘着面を
、タッチパネル画面に触れる指の部分が開口部４に合うように被着させる。開口部４から
露出した指を、タッチパネル画面にタッチしたりスライドしたりして操作ができる。開口
部４から指を露出してないところのシート本体１で、タッチしたりスライドしたりする事
で、画面に付着した手垢や汚れを取り除くことが出来る。
【００２２】
図３は、第３の実施例で、タッチパネルが触れる側を上にして表した図であり、開口部２
の周縁に起毛部を設けられている。図４は図３の断面図である。５は起毛部で、開口部４
の周縁に起毛部５を備える事で、タッチパネル画面表面に付着した手垢や埃汚れをすばや
く、かつ、より効果的に取り除くことが出来る。
【００２３】
なお、起毛部５の素材は、画面の汚れを拭える起毛を有するシート本体１の素材と同じで
良い。
【００２４】
また、起毛部５の作り方は、シート本体１の開口部４周縁の切断面に生じた、ほころんだ
繊維をさらに裁いてぼかせるとよい。
【００２５】
起毛部５は、開口部４より指の一部を出してタッチパネルに触ることで誤作動無く操作出
来るようにするもので、起毛部５により、タッチパネル画面表面に指等が接触できず、情
報を得られないような高さや硬さ等を備えてはいけない。
【００２６】
以上の実施例において、いずれもシート本体１を一枚一本の指に被着する方法を説明した
が、タッチパネルの画面を拡大縮小する場合には、二本の指にそれぞれ一枚づつ被着する
。タッチパネル画面を指でタッチしたりスライドしたりさせたり操作する場合、指に被着
させるシート本体１は、このように、一本の指に限らず複数の指に被着でき、また、一本
の指にも複数枚被着出来る。
【符号の説明】
【００２７】
１、シート本体
２、両面粘着材
３、剥離フィルム
４、開口部
５、起毛部